(57)【特許請求の範囲】
【請求項１】
複数本のコンタクトを保持し一面開口の中空略平板状をしたハウジングと、一端が前記ハウジングに固定され他端が可動端子と接離可能に接触する固定端子と、基端側がハウジングに連結され所定の長さを有する弾性変形可能な弾性変形部及びその弾性変形部の先端側から一体的に連設されるメモリカード接触部及び前記固定端子と接離する可動端子を有する書込防止検知コンタクトと、を備え、一端側外面に形成される凹部及びこの凹部内の２つの位置間でスライド可能な一端側外方に向かって凸形状をした書込防止レバー及び前記コンタクトに接触する接続端子を有し略平板矩形状をしたメモリカードが前記ハウジングに挿抜され、前記固定端子は前記可動端子との接離に基づいて前記書込防止レバーのスライド位置を検知して前記ハウジングに装填された前記メモリカードの情報の書込・消去を可能にする制御信号を送信し、前記書込防止検知コンタクトは前記メモリカード接触部が前記書込防止レバーに当接する押圧力を受けて前記弾性変形部が弾性変形して前記可動端子が前記固定端子と接離する、メモリカード用ソケットにおいて、
前記書込防止検知コンタクトは、前記メモリカードの挿抜に伴って、前記メモリカード接触部が前記メモリカードの凹部と前記書込防止レバー凸部との間の溝部をスライドするときに、前記弾性変形部の弾性変形量を低減させる弾性変形量低減構造を有し、前記弾性変形量低減構造は、前記メモリカード接触部の長さが、前記溝部の幅より長い略直線形状部であり、前記弾性変形量低減構造は、前記メモリカード接触部の近傍に設けた接触部ガイドの曲率が前記メモリカード接触部の曲率より小さいものであり、前記接触部ガイドは、弾性変形部の先端側からメモリカード接触部と連接部を共有して一体的に形成されると共に、接触部ガイドとメモリカード接触部との間には所定の空間を存在させていることを特徴とするメモリカード用ソケット。
【請求項２】
前記メモリカード接触部は、メモリカード又は書込防止レバーと接触する端面に面取り部を設けている請求項１記載のメモリカード用ソケット。
【発明の詳細な説明】
【０００１】
【発明の属する技術分野】
本発明は、メモリカードと回路基板とを接続するメモリカード用ソケットに関する。
【０００２】
【従来の技術】
この種のメモリカード用ソケットとして、図５乃至図７に示すような携帯電話等の小型の電子機器に実装されるものがある。図５はメモリカードとメモリカード用ソケットとの関係を示す斜視図、図６はメモリカード用ソケットを示す分解斜視図、図７（ａ）は書込防止検知コンタクトの先端側近傍を示す要部拡大図、同図（ｂ）はシェルを取り外した状態を示す要部平面図である。
【０００３】
このメモリカード用ソケット１は、例えばＳＤ（Ｓｅｃｕｒｅ  Ｄｉｇｉｔａｌ）メモリたるメモリカード２に用いるものであって、メモリカード２がスライドして挿抜されると共にメモリカード２に設けた接続端子に接触する複数のコンタクト４を保持したハウジング３と、メモリカード２の挿抜に伴ってハウジング３に対してスライドするスライダー５と、を備え、ハウジング３はボディ６とシェル７とからなり、ボディ６とシェル７との間にメモリカード２が挿入される。
【０００４】
メモリカード２は、図５に示すように外周形状が略平板矩形状をした合成樹脂成形品であって、図５における右上角部を切り欠いて形成される傾斜面部２１を有している。また、メモリカード２は、一端側外面に凹部２２が形成され、この凹部２２内の２つの位置２２ａ，２２ｂ間でスライド可能な一端側外方に向かって凸形状をした合成樹脂成形品よりなる書込防止レバー２３を備えている。そして、詳しくは後述するが、書込防止レバー２３が書込防止位置２２ａにセットされているときは、メモリカード２への情報の書込・消去が防止されてメモリカード２が記憶している情報が保護され、一方、書込防止レバー２３が書込許可位置２２ｂにセットされているときは、メモリカード２への情報の書込・消去が許可されてメモリカード２が記憶している情報が更新されるようになっている。さらに、メモリカード２には、複数のコンタクト４と接続する複数個の接続端子が裏面に設けられている。
【０００５】
ボディ６は、合成樹脂成形品からなり、メモリカード２の裏面の一部に対向する矩形平板状のベース板６２を有する。ベース板６２の長手方向両端の側縁に沿って一方に延びる一対のアーム６１ａ，６１ｂがベース板６２と一体に設けられており、ベース板６２とアーム６１ａ，６１ｂとは全体としてコ字状に形成されている。アーム６１ａ，６１ｂとベース板６２とは１つの側縁を共有しており、この側縁にはベース板の図６における紙面表側（以下、上面側）に後面板６３が立設されている。図６における右側のアーム６１ａの右側の側縁には側面板６４ａが立設され、図６における左側のアーム６１ｂの左側の側縁には側面板６４ｂが立設されている。
【０００６】
シェル７は、断面略コ字状に形成され、側面板６４ａ，６４ｂに外側から重なる形でボディ６と結合される。アーム６１ａの左側の側縁部及びアーム６１ｂの右側の側縁部には、メモリカード２の図における左右方向への移動を規制するカードガイド６５ａ，６５ｂが設けられており、メモリカード２はカードガイド６５ａ，６５ｂに沿ってスライドする。各カードガイド６５ａ，６５ｂの前端部（図６の下方向を前方向とする）には前面に向かって両カードガイド６５ａ，６５ｂ間の左右幅とシェル７に対する距離とを共に広げるように傾斜したカード導入部６６ａ，６６ｂが設けられている。ボディ６とシェル７との間にメモリカード２を挿入する際にはカード導入部６６ａ，６６ｂによってメモリカード２が案内されるから、メモリカード２の挿入作業が容易になる。
【０００７】
ベース板６２には、メモリカード２に設けた複数個の接続端子にそれぞれ接触する複数本（９本）のコンタクト４が保持されている。各コンタクト４の一端部はベース板６２と重複しない位置までアーム６１ａ，６１ｂに沿って延長されている。
【０００８】
アーム６１ａ上には、スライダー５が載置されており、スライダー５は、カードガイド６５ａと側面板６４ａとの間で前後方向に移動可能なものであって、スライダー本体部５１とメモリカード２の前面に当接する当接部５２とを有する。スライダー５はカードガイド６５ａと側面板６４ａとシェル７とアーム６１ａとによって移動方向が規制され、メモリカード２がハウジング内に挿入されてメモリカード２の接続端子がコンタクト４に接触する位置とメモリカード２がハウジング３から取り外し可能になる位置との間でスライダー５はスライドする。後面板６３のアーム６１ａ側の端部の前面側にはスライダー５を前方向に付勢するコイルスプリング８が載置されている。
【０００９】
アーム６１ｂには、いずれも導電性金属板製であるカード検知コンタクト９１、書込防止検知コンタクト９２、及びメモリカード２の情報の書込・消去を可能にする制御信号の授受を行うＮＣ端子９３が固定されている。
【００１０】
カード検知コンタクト９１は、メモリカード２が装着されているかどうかを検知するものであって、一端が書込防止検知コンタクト９２と接触する固定端子９１ａとなり、他端９１ｄがメモリカード２の非装着時にＮＣ端子９３と接触するようにしている。そして、メモリカード２が装着されると、メモリカード２が９１ｃに当接して、他端９１ｄとＮＣ端子９３との間が開放され、メモリカード２が装着されていることを検知する。
【００１１】
書込防止検知コンタクト９２は、書込防止レバー２３のスライド位置を検知するものであって、基端側９２ａがアーム６１ｂに連結され所定の長さを有する弾性変形可能な弾性変形部９２ｂ及びその弾性変形部９２ｂの先端側から一体的に連設されるメモリカード接触部９２ｃ及びカード検知コンタクト９１と接離する可動端子９２ｄを有している。
【００１２】
このメモリカード用ソケット１は、以下のようにメモリカード２が装着される。メモリカード２は、図５において、メモリカード２の傾斜面部２１を右上にしてハウジング３の左下側からハウジング３に徐々に挿入する。そして、傾斜面部２１が当接部５２に当接すると、当接部５２が傾斜面部２１に押されて、スライダー５がハウジング３に対してスライドする。そして、メモリカード２が装着位置に至ると、接続端子が複数のコンタクト４と接続して、メモリカード２の情報は、その接続端子からメモリカード用ソケット１に中継されて電子機器に送られるのである。
【００１３】
そして、図７に示すように、書込防止レバー２３が書込許可位置２２ｂにセットされているメモリカード２が装着されたときは、メモリカード接触部９２ｃが書込防止レバー凸部２３ａに当接して、可動端子９２ｄが固定端子９１ａから離れる。これにより、メモリカード２への情報の書込・消去が許可されてメモリカード２に記憶されている情報を更新することができるようになる。一方、書込防止レバー２３が書込防止位置２２ａにセットされているメモリカード２が装着されたときは、可動端子９２ｄが固定端子９１ａと接触しているので、メモリカード２への情報の書込・消去が防止されてメモリカード２の記憶している情報が保護されることとなる。
【００１４】
【発明が解決しようとする課題】
上述したメモリカード用ソケット１は、書込防止レバー２３が凹部２２内の２つの位置２２ａ，２２ｂ間で容易にスライドできるようにするため、書込防止レバー２３に書込防止レバー凹部２３ｂ，２３ｂを設け、凹部２２と書込防止レバー凸部２３ａとの間に溝部２４を形成して、この部分に薄片等を挿入してスライドできるようになっている。
【００１５】
しかしながら、メモリカード２の挿抜に伴って、メモリカード接触部９２ｃが溝部２４をスライドするときに、メモリカード接触部９２ｃがこの部分に嵌まって、メモリカード２或いは書込防止レバー２３が研削され易いものとなっていた。その結果、メモリカード２が円滑に装着できなかったり、摩耗粉が多く発生して溝部２４に溜まることが懸念されていた。
【００１６】
本発明は、かかる事由に鑑みてなしたもので、その目的とするところは、メモリカード２を挿抜するときに、メモリカード２が円滑に装着できるようにしたメモリカード用ソケットを提供することにある。
【００１７】
【課題を解決するための手段】
請求項１に係る発明のメモリカード用ソケットは、複数本のコンタクトを保持し一面開口の中空略平板状をしたハウジングと、一端が前記ハウジングに固定され他端が可動端子と接離可能に接触する固定端子と、基端側がハウジングに連結され所定の長さを有する弾性変形可能な弾性変形部及びその弾性変形部の先端側から一体的に連設されるメモリカード接触部及び前記固定端子と接離する可動端子を有する書込防止検知コンタクトと、を備え、一端側外面に形成される凹部及びこの凹部内の２つの位置間でスライド可能な一端側外方に向かって凸形状をした書込防止レバー及び前記コンタクトに接触する接続端子を有し略平板矩形状をしたメモリカードが前記ハウジングに挿抜され、前記固定端子は前記可動端子との接離に基づいて前記書込防止レバーのスライド位置を検知して前記ハウジングに装填された前記メモリカードの情報の書込・消去を可能にする制御信号を送信し、前記書込防止検知コンタクトは前記メモリカード接触部が前記書込防止レバーに当接する押圧力を受けて前記弾性変形部が弾性変形して前記可動端子が前記固定端子と接離する、メモリカード用ソケットにおいて、前記書込防止検知コンタクトは、前記メモリカードの挿抜に伴って、前記メモリカード接触部が前記メモリカードの凹部と前記書込防止レバー凸部との間の溝部をスライドするときに、前記弾性変形部の弾性変形量を低減させる弾性変形量低減構造を有し、前記弾性変形量低減構造は、前記メモリカード接触部の長さが、前記溝部の幅より長い略直線形状部であり、前記弾性変形量低減構造は、前記メモリカード接触部の近傍に設けた接触部ガイドの曲率が前記メモリカード接触部の曲率より小さいものであり、前記接触部ガイドは、弾性変形部の先端側からメモリカード接触部と連接部を共有して一体的に形成されると共に、接触部ガイドとメモリカード接触部との間には所定の空間を存在させていることを特徴としている。
【００２２】
【発明の実施の形態】
以下、本発明の実施の形態について、図面を参照して詳細に説明する。なお、本実施形態の基本的な構成は従来の技術において説明したものと同様であるから、基本的機能が実質的に同様の部分には同一の符号を付し、共通する部分についてはその詳細な説明を省略する。
【００２３】
本発明のメモリカード用ソケット１は、複数本のコンタクト４を保持し一面開口の中空略平板状をしたハウジング３と、一端が前記ハウジング３に固定され他端が可動端子９２ｄと接離可能に接触する固定端子９１ａと、基端側９２ａがハウジング３に連結され所定の長さを有する弾性変形可能な弾性変形部９２ｂ及びその弾性変形部９２ｂの先端側から一体的に連設されるメモリカード接触部９２ｃ及び前記固定端子９１ａと接離する可動端子９２ｄを有する書込防止検知コンタクト９２と、を備え、一端側外面に形成される凹部２２及びこの凹部２２内の２つの位置２２ａ，２２ｂ間でスライド可能な一端側外方に向かって凸形状をした書込防止レバー２３及び前記コンタクト４に接触する接続端子を有し略平板矩形状をしたメモリカード２が前記ハウジング３に挿抜され、前記固定端子９１ａは前記可動端子９２ｄとの接離に基づいて前記書込防止レバー２３のスライド位置を検知して前記ハウジング３に装填された前記メモリカード２の情報の書込・消去を可能にする制御信号を送信し、前記書込防止検知コンタクト９２は前記メモリカード接触部９２ｃが前記書込防止レバー２３に当接する押圧力を受けて前記弾性変形部９２ｂが弾性変形して前記可動端子９２ｄが前記固定端子９１ａと接離するものとしている。
【００２４】
以下、本発明の特徴部分について図１及び図２を用いて説明する。図１（ａ）は本発明に係るメモリカード用ソケット１の特徴部分である書込防止検知コンタクト９２近傍の要部平面図、同図（ｂ）は同書込防止検知コンタクト９２の上面図、同図（ｃ）はシェルを取り外した状態を示す要部平面図である。また、図２（ａ）は本発明に係るメモリカード用ソケット１の特徴部分である書込防止検知コンタクト９２近傍の要部平面図、同図（ｂ）は同書込防止検知コンタクト９２の上面図である。
【００２５】
書込防止検知コンタクト９２は、メモリカード２の挿抜に伴って、メモリカード接触部９２ｃがメモリカード２の凹部２２と書込防止レバー凸部２３ａとの間の溝部２４をスライドするときに、弾性変形部９２ｂの弾性変形量を低減させる弾性変形量低減構造を有している。
【００２６】
弾性変形量低減構造は、メモリカード接触部９２ｃの近傍に設けた接触部ガイド９２ｅの曲率がメモリカード接触部の曲率より小さいものとしている。そして、接触部ガイド９２ｅは、弾性変形部９２ｂの先端側からメモリカード接触部９２ｃと連接部を共有して一体的に形成されると共に、接触部ガイド９２ｅとメモリカード接触部９２ｃとの間には所定の空間を存在させている。詳しくは、書込防止検知コンタクト９２の先端側は、断面略半円形状のメモリカード接触部９２ｃのほぼ中央部にスリットを入れてこれを２つに分け、一方は溝部２４を無理なく乗り越えるよう、なだらかに起こした形状にして接触部ガイド９２ｅを形成し、他方は断面略半円形状にしてその先端を可動端子９２ｄとしている。さらに、メモリカード接触部９２ｃ及び接触部ガイド９２ｅは、メモリカード２又は書込防止レバー２３と接触する端面に面取り部９２ｆを設けている。
【００２７】
上記構成によれば、溝部２４がメモリカード接触部９２ｃを通過するとき、接触部ガイド９２ｅによって無理なく乗り越えることができるものとなるので、弾性変形部９２ｂの弾性変形量が低減される。その結果、書込防止検知コンタクト９２がメモリカード２及び書込防止レバー凸部２３ａに接する接圧力を小さくすることができるので、メモリカード２が円滑に装着できるものとなる。また、面取り部９２ｆを設けているので、摩耗粉の発生も抑えられるものとなる。また、接触部ガイド９２ｅは、書込防止検知コンタクト９２に一体的に形成しているので、部品点数が増加することがない。
【００２８】
なお、上述した書込防止検知コンタクト９２が有する弾性変形量低減構造は、これとほぼ同様の形状をしたカード検知コンタクト９１にも用いることができる。この場合、メモリカード２の端縁がカード検知コンタクト９１に接触するときに、円滑に装着できるものとなり、摩耗粉の発生も抑えられるものとなる。
【００２９】
以上、メモリカード用ソケット１の実施の形態を説明したが、書込防止検知コンタクト９２は種々の変形が可能であり、例えば図３及び図４に示す形状のものにすることもできる。
【００３０】
図３（ａ）は書込防止検知コンタクト９２近傍の要部平面図、同図（ｂ）は同書込防止検知コンタクト９２の上面図、同図（ｃ）はシェルを取り外した状態を示す要部平面図である。また、図４（ａ）は書込防止検知コンタクト９２近傍の要部平面図、同図（ｂ）は同書込防止検知コンタクト９２の上面図である。
【００３１】
この書込防止検知コンタクト９２は、上述した実施の形態に係るものとは、弾性変形量低減構造が、メモリカード接触部９２ｃの長さを溝部２４の幅より長い略直線形状部としている点が相違している。詳しくは、書込防止検知コンタクト９２は、弾性変形部９２ｂの先端側にスリットを入れてこれを２つに分け、一方をメモリカード接触部９２ｃとし、他方を可動端子９２ｄとして固定端子９１ａと接触させるようにしている。書込防止検知コンタクト９２の先端側は断面略台形状にしてその先端をなだらかに起こすと共に、溝部２４の幅（約０．５ｍｍ）より０．１５ｍｍほど長い、およそ０．６５ｍｍの長さの略直線形状部を設けてメモリカード接触部９２ｃとしている。さらに、メモリカード接触部９２ｃには、メモリカード２又は書込防止レバー２３と接触する端面に面取り部９２ｆを設けている。
【００３２】
上記構成によれば、溝部２４がメモリカード接触部９２ｃを通過するとき、メモリカード接触部９２ｃが溝部２４に落ち込むことがないので、メモリカード２が一層円滑に装着できるものとなる。また、面取り部９２ｆを設けているので、摩耗粉の発生も抑えられるものとなる。また、メモリカード接触部９２ｃと可動端子９２ｄとは、書込防止検知コンタクト９２の先端側に一体的に形成しているので、部品点数が増加することがない。さらに、メモリカード接触部９２ｃの幅が細くなっているため、この部分が弾性変形し易くなるので、メモリカード２が装着されるときに、メモリカード２及び書込防止レバー凸部２３ａに接する接圧力を小さくすることができるものとなる。
【００３３】
【発明の効果】
請求項１に係る発明のメモリカード用ソケットは、書込防止検知コンタクトが、弾性変形部の弾性変形量を低減させる弾性変形量低減構造を有しているので、メモリカードが装着されるときに、書込防止検知コンタクトがメモリカード及び書込防止レバー凸部に接する接圧力を小さくすることができるものとなる。
【００３４】
請求項１に係る発明のメモリカード用ソケットで、弾性変形量低減構造は、メモリカード接触部の長さが、溝部の幅より長い略直線形状部としているので、メモリカード接触部が溝部に落ち込むことがないものとなる。
【００３５】
請求項１に係る発明のメモリカード用ソケットで、弾性変形量低減構造は、メモリカード接触部の近傍に設けた接触部ガイドの側面視の曲率が前記メモリカード接触部の曲率より小さいものとしているので、溝部を無理なく乗り越えることができるものとなる。
【００３６】
請求項１に係る発明のメモリカード用ソケットで、接触部ガイドは、弾性変形部の先端側からメモリカード接触部と連接部を共有して一体的に形成しているので、接触部ガイドを設けても部品点数が増加することがない。
【００３７】
請求項２に係る発明のメモリカード用ソケットは、請求項１の構成において、メモリカード接触部は、メモリカード又は書込防止レバーと接触する端面に面取り部を設けたものとしているので、摩耗粉の発生が抑えられるものとなる。
【図面の簡単な説明】
【図１】（ａ）本発明に係るメモリカード用ソケットの特徴部分である書込防止検知コンタクト近傍の要部平面図である。
（ｂ）同上の書込防止検知コンタクトの上面図である。
（ｃ）シェルを取り外した状態を示す要部平面図である。
【図２】（ａ）本発明に係るメモリカード用ソケットの特徴部分である書込防止検知コンタクト近傍の要部平面図である。
（ｂ）同上の書込防止検知コンタクトの上面図である。
【図３】（ａ）本発明に係るメモリカード用ソケットの他の実施形態の特徴部分である書込防止検知コンタクト近傍の要部平面図である。
（ｂ）同上の書込防止検知コンタクトの上面図である。
（ｃ）シェルを取り外した状態を示す要部平面図である。
【図４】（ａ）本発明に係るメモリカード用ソケットの他の実施形態の特徴部分である書込防止検知コンタクト近傍の要部平面図である。
（ｂ）同上の書込防止検知コンタクトの上面図である。
【図５】メモリカードとメモリカード用ソケットとの関係を示す斜視図である。
【図６】メモリカード用ソケットを示す分解斜視図である。
【図７】（ａ）従来のメモリカード用ソケットの書込防止検知コンタクト近傍の要部平面図である。
（ｂ）シェルを取り外した状態を示す要部平面図である。
【符号の説明】
１            メモリカード用ソケット
２            メモリカード
２２        メモリカードの凹部
２３        書込防止レバー
２３ａ    書込防止レバー凸部
３            ハウジング
４            コンタクト
９１ａ        固定端子
９２          書込防止検知コンタクト
９２ｂ      弾性変形部
９２ｃ      メモリカード接触部
９２ｄ      可動端子
９２ｅ      接触部ガイド（弾性変形量低減構造）
９２ｆ      面取り部
【図１】
0003937866.tif 000002
【図２】
0003937866.tif 000003
【図３】
0003937866.tif 000004
【図４】
0003937866.tif 000005
【図５】
0003937866.tif 000006
【図６】
0003937866.tif 000007
【図７】
0003937866.tif 000008